(57)【要約】【課題】成形荷重（成形圧力）を抑えつつ精度良く鍛造物を成形可能な鍛造装置および鍛造方法を提供する。【解決手段】ギア３の下端の形状を規定する固定型１０と、固定型１０に対して接近および離間する方向に移動可能であり、ビレット２に成形荷重を付与するとともにギア３の上端の形状を規定する上パンチ２０と、固定型１０におけるギア３の下端の形状を規定する面に連続する位置と固定型１０から離間した位置との間で固定型１０に対して接近および離間する方向に移動可能であり、ギア３の側面の形状を規定するダイス３０と、を具備する鍛造装置１を用いて、ダイス３０を固定型１０から離間した位置に保持した状態で上パンチ２０が固定型１０に接近してビレット２を塑性変形させ、次にダイス３０を固定型１０におけるギア３の下端の形状を規定する面に連続する位置に保持した状態で上パンチ２０が固定型１０に接近してビレット２を塑性変形させる。【選択図】図１
2008142767.tif 000002
【特許請求の範囲】
【請求項１】
鍛造物の一端の形状を規定する固定型と、
前記固定型に対して接近および離間する方向に移動可能であり、素材に成形荷重を付与するとともに前記鍛造物の他端の形状を規定する可動型と、
前記固定型における前記鍛造物の一端の形状を規定する面に連続する位置と前記固定型から所定距離離間した位置との間で前記固定型に対して接近および離間する方向に移動可能であり、前記鍛造物の側面の形状を規定する側面型と、
を具備し、
前記側面型を前記固定型から所定距離離間した位置に保持した状態で前記可動型が前記固定型に接近して前記素材を塑性変形させる第一成形工程と、
前記第一成形工程の後に、前記側面型を前記固定型における前記鍛造物の一端の形状を規定する面に連続する位置に保持した状態で前記可動型が前記固定型に接近して前記素材を塑性変形させる第二成形工程と、
を行う鍛造装置。
【請求項２】
前記第一成形工程において、
前記固定型と前記側面型との隙間に気体を供給することにより前記側面型を前記固定型から所定距離離間した位置に保持する請求項１に記載の鍛造装置。
【請求項３】
前記側面型における前記可動型との対向面に前記素材が流入する凹部が設けられ、
前記第二成形工程において、
前記凹部に流入した素材を介して前記可動型が前記側面型を押すことにより前記可動型および前記側面型が一体となって前記固定型に接近する請求項１または請求項２に記載の鍛造装置。
【請求項４】
鍛造物の一端の形状を規定する固定型と、
前記固定型に対して接近および離間する方向に移動可能であり、素材に成形荷重を付与するとともに前記鍛造物の他端の形状を規定する可動型と、
前記固定型における前記鍛造物の一端の形状を規定する面に連続する位置と前記固定型から所定距離離間した位置との間で前記固定型に対して接近および離間する方向に移動可能であり、前記鍛造物の側面の形状を規定する側面型と、
を具備する鍛造装置を用いる鍛造方法であって、
前記側面型を前記固定型から所定距離離間した位置に保持した状態で前記可動型が前記固定型に接近して前記素材を塑性変形させる第一成形工程と、
前記第一成形工程の後に、前記側面型を前記固定型における前記鍛造物の一端の形状を規定する面に連続する位置に保持した状態で前記可動型が前記固定型に接近して前記素材を塑性変形させる第二成形工程と、
を具備する鍛造方法。
【請求項５】
前記第一成形工程において、
前記固定型と前記側面型との隙間に気体を供給することにより前記側面型を前記固定型から所定距離離間した位置に保持する請求項４に記載の鍛造方法。
【請求項６】
前記側面型における前記可動型との対向面に前記素材が流入する凹部が設けられ、
前記第二成形工程において、
前記凹部に流入した素材を介して前記可動型が前記側面型を押すことにより前記可動型および前記側面型が一体となって前記固定型に接近する請求項４または請求項５に記載の鍛造方法。
【発明の詳細な説明】
【技術分野】
【０００１】
本発明は、鍛造により素材を所定の形状の鍛造物に成形する鍛造装置および鍛造方法に関する。
【背景技術】
【０００２】
従来、鍛造により素材を所定の形状の鍛造物に成形する鍛造装置は公知となっている。例えば、特許文献１に記載の如くである。
図７および図８に示す如く、鍛造装置で歯車を成形する場合には特に成形の後期（図７中の（ＩＩＩ）の領域）における成形荷重（成形圧力）が素材の閉じ込めおよび素材の加工硬化等の要因により飛躍的に増大し、素材の流動が不十分となることから、歯車の歯面部分のうち特に可動型から遠い部分において「欠肉」が発生する場合がある。
「欠肉」は成形時の素材の流動が不十分で、金型の内部において素材で充填されていない領域が生じることに起因する鍛造物の形状不良（成形不良）の一種である。
【０００３】
欠肉を解消する最も簡便な方法としては、可動型（パンチ１０１）を固定型（ダイス１０２）に接近させる方向に移動する際の荷重、すなわち可動型と固定型との間に配置された素材（ビレット１０３）の成形荷重（成形圧力）を大きくすることが挙げられる（図８参照）が、この方法は可動型を動作させるための油圧シリンダ等のアクチュエータの大型化、ひいては設備コストの増大の要因となる。
また、大きな成形荷重（成形圧力）を発生させると鍛造装置の金型が破損する場合があることから金型の更なる高強度化を図る必要があり、金型の大型化、ひいては設備コストの増大の要因となる。
【０００４】
特に、歯車等を鍛造により成形する場合、歯面に相当する部分への素材の流動は変形抵抗が大きく、素材が金型内でほぼ密閉された状態にならないと促進されないことから欠肉や金型の破損といった問題が起こりやすく、ひいては設備コストの増大の要因となる。
【０００５】
成形荷重（成形圧力）を大きくする以外の方法で欠肉を解消する方法としては、素材が流入する凹み（逃がし）を金型の固定型側または可動型側に形成し、素材の金型内における閉じ込めを防止することにより成形時の荷重を軽減する捨軸成形、あるいは素材を可動型側からだけでなく固定型側からも荷重することにより成形時の荷重を軽減する背圧成形等が挙げられる。
【０００６】
しかし、捨軸成形の場合、凹み（逃がし）に流入した素材を後工程で切削等により除去する必要があるため工数の増加や原料歩留まりの低下を招き、ひいては製造コストの増大の要因となるという問題がある。
また、背圧成形の場合、可動型とは別にアクチュエータ等の固定型側から荷重するための機構を設ける必要があり、設備コストの増大ひいては製造コストの増大の要因となるという問題がある。
【特許文献１】特開平４−５２０４２号公報
【発明の開示】
【発明が解決しようとする課題】
【０００７】
本発明は以上の如き状況に鑑み、成形荷重（成形圧力）を抑えつつ精度良く鍛造物を成形可能な鍛造装置および鍛造方法を提供するものである。
【課題を解決するための手段】
【０００８】
本発明の解決しようとする課題は以上の如くであり、次にこの課題を解決するための手段を説明する。
【０００９】
即ち、請求項１においては、
鍛造物の一端の形状を規定する固定型と、
前記固定型に対して接近および離間する方向に移動可能であり、素材に成形荷重を付与するとともに前記鍛造物の他端の形状を規定する可動型と、
前記固定型における前記鍛造物の一端の形状を規定する面に連続する位置と前記固定型から所定距離離間した位置との間で前記固定型に対して接近および離間する方向に移動可能であり、前記鍛造物の側面の形状を規定する側面型と、
を具備し、
前記側面型を前記固定型から所定距離離間した位置に保持した状態で前記可動型が前記固定型に接近して前記素材を塑性変形させる第一成形工程と、
前記第一成形工程の後に、前記側面型を前記固定型における前記鍛造物の一端の形状を規定する面に連続する位置に保持した状態で前記可動型が前記固定型に接近して前記素材を塑性変形させる第二成形工程と、
を行うものである。
【００１０】
請求項２においては、
前記第一成形工程において、
前記固定型と前記側面型との隙間に気体を供給することにより前記側面型を前記固定型から所定距離離間した位置に保持するものである。
【００１１】
請求項３においては、
前記側面型における前記可動型との対向面に前記素材が流入する凹部が設けられ、
前記第二成形工程において、
前記凹部に流入した素材を介して前記可動型が前記側面型を押すことにより前記可動型および前記側面型が一体となって前記固定型に接近するものである。
【００１２】
請求項４においては、
鍛造物の一端の形状を規定する固定型と、
前記固定型に対して接近および離間する方向に移動可能であり、素材に成形荷重を付与するとともに前記鍛造物の他端の形状を規定する可動型と、
前記固定型における前記鍛造物の一端の形状を規定する面に連続する位置と前記固定型から所定距離離間した位置との間で前記固定型に対して接近および離間する方向に移動可能であり、前記鍛造物の側面の形状を規定する側面型と、
を具備する鍛造装置を用いる鍛造方法であって、
前記側面型を前記固定型から所定距離離間した位置に保持した状態で前記可動型が前記固定型に接近して前記素材を塑性変形させる第一成形工程と、
前記第一成形工程の後に、前記側面型を前記固定型における前記鍛造物の一端の形状を規定する面に連続する位置に保持した状態で前記可動型が前記固定型に接近して前記素材を塑性変形させる第二成形工程と、
を具備するものである。
【００１３】
請求項５においては、
前記第一成形工程において、
前記固定型と前記側面型との隙間に気体を供給することにより前記側面型を前記固定型から所定距離離間した位置に保持するものである。
【００１４】
請求項６においては、
前記側面型における前記可動型との対向面に前記素材が流入する凹部が設けられ、
前記第二成形工程において、
前記凹部に流入した素材を介して前記可動型が前記側面型を押すことにより前記可動型および前記側面型が一体となって前記固定型に接近するものである。
【発明の効果】
【００１５】
本発明の効果は、成形荷重（成形圧力）を抑えつつ精度良く鍛造物を成形することが可能であることである。
【発明を実施するための最良の形態】
【００１６】
以下では、図１乃至図５を用いて本発明に係る鍛造装置の実施の一形態である鍛造装置１について説明する。
なお、本実施例の鍛造装置１における金型の形状は上下方向の中心線（図１乃至図３中の一点鎖線）を中心とする回転体であるため、当該中心線を挟んで右側の部分については図示を省略する。
また、以下に説明する鍛造装置１を用いて行う鍛造方法の一例は、本発明に係る鍛造方法の実施の一形態に相当する。
【００１７】
図１に示す如く、鍛造装置１はビレット２を鍛造により成形して所定形状のヘリカルギア３（図３参照）を製造する装置である。
ビレット２は本発明に係る素材の実施の一形態であり、ヘリカルギア３の原材料となるものである。ビレット２は機械構造用炭素鋼からなる棒を所定の長さで切断することにより得られる略円柱形状の部材である。
「素材」は鍛造装置・鍛造方法により成形される原材料（出発材）を指す。
「鍛造物」は素材を鍛造装置・鍛造方法により所定の形状に成形したものを指す。
本発明に係る素材はビレット２の如き機械構造用炭素鋼に限定されず、鉄元素の単体および種々の鉄鋼材料（鉄元素を主成分とする合金）を含む。また、本発明に係る素材は鉄元素以外の他の金属元素の単体、あるいは鉄元素以外の他の金属元素を主成分とする合金（例えば、アルミニウム合金や銅合金）等、種々の金属材料を含む。
本発明に係る素材の形状は本実施例のビレット２の如き略円柱形状に限定されず、略円筒形状や略直方体形状等、鍛造物の形状や大きさ、あるいは材質等に応じて適宜選択することが可能である。
本発明に係る鍛造物は本実施例のヘリカルギア３の如き歯車に限定されず、鍛造により成形し得る種々の部品等を含む。
本発明に係る鍛造装置および鍛造方法は冷間鍛造および熱間鍛造の両方に適用可能であり、素材および金型の温度は特に限定されない。
【００１８】
図１に示す如く、鍛造装置１は、固定型１０、上パンチ２０およびダイス３０からなる金型と、当該金型の動作を行うための油圧シリンダ等のアクチュエータ（不図示）と、当該アクチュエータの動作を制御する制御装置（不図示）と、を具備する。
上記アクチュエータは専用品でも良いが、市販の油圧シリンダ等を用いて達成することも可能である。
また、上記制御装置は専用品でも良いが、市販のパーソナルコンピュータやワークステーション等を用いて達成することも可能である。
【００１９】
固定型１０は本発明に係る固定型の実施の一形態であり、ヘリカルギア３の一端（本実施例の場合、下端）の形状を規定するものである。
固定型１０は、主として下パンチ１１、胴体部材１２、下面規定部材１３、ダイスクランプ１４、係止部材１５等を具備する。
【００２０】
下パンチ１１は固定型１０のうち、ヘリカルギア３の一端（本実施例の場合、下端）の形状を規定する部材の一つである。
本実施例の下パンチ１１は、ヘリカルギア３の一端面の中央部、すなわちヘリカルギア３の一端面（下端面）のうち、ヘリカルギア３の歯面の端部と連なる部分（周縁部）を除く部分の形状を規定する。
下パンチ１１は略円柱形状の部材であり、下パンチ１１の一端（上端）は鍛造装置１にセットされたビレット２の一端（下端）に当接する。下パンチ１１の一端（上端）の形状はヘリカルギア３の一端（下端）の形状に対応する。下パンチ１１の他端（下端）にはピストン１１ａが形成される。
【００２１】
胴体部材１２は固定型１０の主たる構造体である。
胴体部材１２は略円柱形状の部材であり、胴体部材１２には摺動孔１２ａおよびシリンダ室１２ｂが形成される。摺動孔１２ａの一端は胴体部材１２の上面に開口し、摺動孔１２ａの他端はシリンダ室１２ｂに連通している。下パンチ１１の外周面は摺動孔１２ａの内周面に摺動可能に当接し、下パンチ１１のピストン１１ａの外周面はシリンダ室１２ｂの内周面に液密的かつ摺動可能に当接する。
【００２２】
また、シリンダ室１２ｂにおけるピストン１１ａよりも下側の空間（以下「下側空間」という。）と胴体部材１２の外部とを連通する経路（不図示）が形成され、当該経路は油圧ポンプ（不図示）に接続される。当該油圧ポンプは前記制御装置によりその動作が制御され、当該油圧ポンプが動作する（すなわち、シリンダ室１２ｂの下側空間に作動油を供給し、あるいはシリンダ室１２ｂの下側空間から作動油を排出する）ことにより、下パンチ１１を上方あるいは下方に移動させることが可能であるとともに、ビレット２（ヘリカルギア３）に下方から上方に向かって所定の大きさの成形荷重（成形圧力）を付与することが可能である。
【００２３】
下面規定部材１３は固定型１０のうち、ヘリカルギア３の一端（本実施例の場合、下端）の形状を規定する部材の一つである。
本実施例の下面規定部材１３は、ヘリカルギア３の一端面の周縁部、すなわちヘリカルギア３の一端面（下端面）のうち、ヘリカルギア３の歯面の端部と連なる部分の形状を規定する。
下面規定部材１３は略円筒形状の部材であり、下面規定部材１３には上面から下面に貫通する孔である摺動孔１３ａが形成される。下パンチ１１の外周面は摺動孔１３ａの内周面に摺動可能に当接する。下面規定部材１３は、その下面が胴体部材１２の上面に当接し、かつ摺動孔１３ａが摺動孔１２ａに連なる位置に配置される。また、下面規定部材１３の外周面の下部には側方に向かって突出した鍔部１３ｂが形成される。
【００２４】
ダイスクランプ１４は下面規定部材１３を前記所定の位置に配置された状態で固定するとともに、ダイス３０を上パンチ２０の移動方向（本実施例では上下方向）に移動可能かつ上パンチ２０の移動方向に略垂直な方向（側方）に移動不能に支持する部材である。
ダイスクランプ１４は略円筒形状の部材であり、ダイスクランプ１４には上面から下面に貫通する孔である貫通孔１４ａが形成される。
ダイスクランプ１４の貫通孔１４ａの上端部には貫通孔１４ａの中心に向かって突出した鍔部１４ｂが形成される。ダイスクランプ１４の外周面の下端部には側方に向かって突出した鍔部１４ｃが形成される。また、ダイスクランプ１４の貫通孔１４ａの下端部には貫通孔１４ａの周方向に沿って溝１４ｄが形成される。
下面規定部材１３の外周面はダイスクランプ１４の貫通孔１４ａの内周面に当接し、下面規定部材１３の鍔部１３ｂはダイスクランプ１４の溝１４ｄに係合する。従って、下面規定部材１３はダイスクランプ１４に対して、上下方向および側方に移動不能である。
また、ダイスクランプ１４の外周面とダイスクランプ１４の内周面において下面規定部材１３の上面と略同じ高さとなる位置とを連通するエア供給経路１４ｅが形成される。
【００２５】
係止部材１５はダイスクランプ１４を胴体部材１２に固定する部材である。
係止部材１５は略円筒形状の部材であり、その内周面の上端部には鍔部１５ａが形成される。
係止部材１５の内周面は胴体部材１２の外周面に当接し、係止部材１５は胴体部材１２に固定される。また、係止部材１５の鍔部１５ａはダイスクランプ１４の鍔部１４ｃに係合する。従って、ダイスクランプ１４は胴体部材１２に固定され、上下方向および側方に移動不能である。
【００２６】
なお、本実施例では固定型１０が具備する部材のうち、下パンチ１１を可動型たる上パンチ２０に向かって突出可能（移動可能）とし、ビレット２に上下両側から荷重を付与可能な構成としたが、本発明に係る鍛造装置はこれに限定されず、鍛造物の形状や材質等によっては固定型側にパンチ等の可動する部材を具備しない構成としても良い。
また、本実施例の鍛造装置１はビレット２への荷重方向（可動型の移動方向）が下向きとなる構成であるが、本発明に係る鍛造装置はこれに限定されず、素材への荷重方向が上下方向・左右方向あるいは斜め方向となる構成であっても良い。
【００２７】
上パンチ２０は本発明に係る可動型の実施の一形態である。上パンチ２０は固定型１０に対して接近および離間する方向（本実施例の場合、下方向および上方向）に移動可能であり、ビレット２に成形荷重を付与するとともにヘリカルギア３の他端（本実施例の場合、上端）の形状を規定するものである。
【００２８】
上パンチ２０は略円柱形状の部材であり、固定型１０の上方に配置される。上パンチ２０は図示せぬアクチュエータ（油圧シリンダ等）の動作により、固定型１０に対して接近する方向（下方向）および離間する方向（上方向）に移動する。
上パンチ２０の下端は成形時にビレット２の上端に当接する面である。上パンチ２０の下端をビレット２の上端に当接させ、さらに上パンチ２０を下方に移動させるとビレット２に成形荷重が付与され、ビレット２は最終的に所定の形状（ヘリカルギア３の形状）に塑性変形する。
上パンチ２０の下端の形状はヘリカルギア３の他端（本実施例の場合、上端）の形状に対応する。
【００２９】
ダイス３０は本発明に係る側面型の実施の一形態である。ダイス３０は固定型１０におけるヘリカルギア３の一端（下端）の形状を規定する面（本実施例の場合、下面規定部材１３の上面）に連続する位置（図１および図３参照）と固定型１０から所定距離離間した位置（図２参照）との間で固定型１０に対して接近および離間する方向に移動可能であり、ヘリカルギア３の側面の形状（本実施例の場合、側面の歯面形状）を規定するものである。
【００３０】
ダイス３０は略円筒形状の部材であり、その内周面にはヘリカルギア３の側面の形状（本実施例の場合、側面の歯面形状）に対応する溝３０ａ・３０ａ・・・が形成される。
ダイス３０の上面（上パンチ２０の下面に対向する面）にはダイス３０の内周面の上端部に連なる窪みである凹部３０ｂが形成される。
ダイス３０の外周面は上下方向の途中で段差面３０ｃが設けられており、段差面３０ｃにより上半部の外周面である上部外周面３０ｄおよび下半部の外周面である下部外周面３０ｅに分けられる。ダイス３０の平面視の直径は下半部の方が上半部よりも大きく、上部外周面３０ｄよりも下部外周面３０ｅの方が側方に突出している。
【００３１】
ダイス３０の上部外周面３０ｄはダイスクランプ１４の鍔部１４ｂの内周面に上下方向に摺動可能に当接する。ダイス３０の下部外周面３０ｅはダイスクランプ１４の貫通孔１４ａの内周面に上下方向に摺動可能に当接する。
また、ダイス３０が固定型１０におけるヘリカルギア３の一端（下端）の形状を規定する面に連続する位置（図１および図３参照）にあるとき、ダイス３０の段差面３０ｃとダイスクランプ１４の鍔部１４ｃの下面との間には所定の高さの隙間が形成される。
従って、ダイス３０は、当該隙間の高さの分だけダイスクランプ１４に沿って上下方向に摺動（固定型１０に対して接近または離間する方向に移動）することが可能である（図２参照）。
【００３２】
以下では、図１乃至図６を用いて、本発明に係る鍛造方法の実施の一形態について説明する。
本発明に係る鍛造方法の実施の一形態は鍛造装置１を用いてビレット２を鍛造により成形して所定形状のヘリカルギア３を製造する方法である。
鍛造装置１によるビレット２の成形は成形初期、成形中期、成形後期の三つの段階に分けられ、成形中期は本発明に係る鍛造方法の実施の一形態における第一成形工程（図６中のＳ１１００）、成形後期は本発明に係る鍛造方法の実施の一形態における第二成形工程（図６中のＳ１２００）にそれぞれ相当する。
【００３３】
図１に示す如く、鍛造装置１によるビレット２の成形を開始する前には、ビレット２は下パンチ１１の上面に載置され、上パンチ２０は上パンチ２０の下面がビレット２の上面と当接する位置よりも上方に配置される。
下パンチ１１の上面は下面規定部材１３の上面と略同じ高さとなる位置（下パンチ１１の上面と下面規定部材１３の上面とが略面一となる位置）に配置される。
ダイス３０は固定型１０におけるヘリカルギア３の他端の形状を規定する面に連続する位置、すなわちダイス３０の下面が下面規定部材１３の上面に当接する位置に配置される。
鍛造装置１によるビレット２の成形を開始する前には、ビレット２の外周面（側面）はダイス３０の内周面に当接していない。
【００３４】
上パンチ２０を下方（固定型１０に接近する方向）に移動し、上パンチ２０の下面がビレット２の上面と当接する位置よりも更に下方に移動させると「成形初期」の段階に移行し、ビレット２が上下方向において短くなり、側方に膨出する形で塑性変形する。
【００３５】
「成形初期」の段階では、側方に膨出するビレット２の外周面がダイス３０の内周面に当接していない（規制されない）ため、比較的小さい荷重でビレット２を塑性変形させることが可能である。
【００３６】
側方に膨出するビレット２の外周面がダイス３０の内周面に当接した時点から更に下方に上パンチ２０を移動させると図２に示す「成形中期」の段階に移行する。
本実施例の場合、成形初期の段階から成形中期の段階に移行する際（成形中期の開始時）にダイス３０を固定型１０（本実施例の場合、厳密には下面規定部材１３の上面）から所定距離離間した位置に保持した状態、すなわちダイス３０の段差面３０ｃとダイスクランプ１４の鍔部１４ｃの下面との間の所定の高さの隙間の分だけダイス３０を上方に持ち上げた状態とし、その状態を保持しつつ上パンチ２０を下方に移動し、ビレット２を塑性変形させる。
【００３７】
本実施例では、エア供給経路１４ｅを介して外部からエアポンプ等を用いてダイス３０と固定型１０との隙間（より厳密には、ダイス３０の下面と下面規定部材１３の上面との隙間）にエア（圧縮空気）を供給することにより、ダイス３０を上方に浮き上がらせ、ダイス３０を固定型１０から所定距離離間した位置に保持した状態とする。
【００３８】
図４に示す如く、「成形中期」の段階においてダイス３０を固定型１０から所定距離離間した位置に保持した状態で上パンチ２０を下方に移動させてビレット２を塑性変形させると、ダイス３０と固定型１０との隙間（ダイス３０の下面と下面規定部材１３の上面との隙間）により金型内へのビレット２の閉じ込め/が緩和される。
従って、ダイス３０を固定型１０に当接した状態（ダイス３０が下面規定部材１３の上面に連続する位置にある状態）と比較して、成形荷重を相対的に小さい値に保持しつつビレット２を成形することが可能である。
また、ビレット２の下端部の周縁部（図４中の二点鎖線の楕円で囲まれた部分に対応する部分）についてのダイス３０と固定型１０との隙間への流動が促進される。
さらに、ビレット２におけるダイス３０の内周面との接触面積は従来の鍛造装置および鍛造方法の素材における金型側面との接触面積に比べて相対的に小さくなることから、より小さい成形荷重でダイス３０の内周面に形成された溝３０ａ・３０ａ・・・に沿ってビレット２を流動させる（塑性変形させる）ことが可能である。すなわち、鍛造装置１の転写性（金型の形状に沿った素材の流動性）が向上し、ひいては鍛造物たるヘリカルギア３の形状精度の向上に寄与する。
【００３９】
なお、側面型を固定型から離間した位置に保持する際の「所定距離」は、鍛造物の形状や素材の性状（機械的性質）等に応じて適宜選択することが望ましい。
【００４０】
ダイス３０と固定型１０との隙間にエアを供給すると、当該エアはダイス３０の内周面とビレット２の外周面との隙間を通過し、ダイス３０の上面から外部に放出されることとなるが、このとき当該エアの流れによりビレット２の外周面に形成されたスケール（酸化膜）が吹き飛ばされて除去される。
従って、スケールがヘリカルギア３の歯面へ巻き込まれることに起因する歯面の形状精度の低下を防止することが可能である。
なお、本実施例ではダイス３０と固定型１０との隙間に供給する気体としてエア（空気）を用いたが、本発明に係る「気体」はエアに限定されず、窒素ガス、酸素ガス、アルゴンガス等他の気体を用いても良い。
【００４１】
ビレット２の上端部が塑性変形してダイス３０の上面に形成された凹部３０ｂに流入し、ビレット２の上端部にフランジ部２ａが形成されると、図３に示す「成形後期」の段階に移行する。
【００４２】
「成形後期」の段階では、上パンチ２０を下方に押す力がフランジ部２ａを介してダイス３０に伝わり、上パンチ２０とダイス３０とが一体的に下方に移動して固定型１０に接近する。そして、ダイス３０が固定型１０におけるヘリカルギア３の一端（下端）の形状を規定する面に連続する位置（本実施例の場合、ダイス３０の下面が下面規定部材１３の上面に当接する位置）に移動し、その位置で保持される。
上パンチ２０とダイス３０とが一体的に下方に移動するときは、まだダイス３０と固定型１０との隙間（ダイス３０の下面と下面規定部材１３の上面との隙間）により金型内へのビレット２の閉じ込めが緩和されているため、成形荷重は比較的小さい。
【００４３】
ダイス３０が固定型１０におけるヘリカルギア３の一端（下端）の形状を規定する面に連続する位置で保持された状態で上パンチ２０を更に下方に移動させると、ビレット２がさらに塑性変形し、ダイス３０の内周面と下面規定部材１３の上面との境界部、すなわち従来の鍛造装置および鍛造方法において可動型から最も遠く、欠肉が起こりやすい部分にビレット２の下端部の周縁部が流動し、ビレット２がヘリカルギア３の形状に成形される。
【００４４】
ダイス３０が固定型１０におけるヘリカルギア３の一端（下端）の形状を規定する面に連続する位置に移動するとビレット２の閉じ込めが起こるため、その後更に上パンチ２０を下方に移動させると成形荷重（成形圧力）が上昇する。
しかし、ダイス３０が固定型１０におけるヘリカルギア３の一端（下端）の形状を規定する面に連続する位置に移動した時点で、既にビレット２の下端部の周縁部がダイス３０の内周面と下面規定部材１３の上面との境界部に多く流動しているため、さほど成形荷重（成形圧力）を上昇させなくても欠肉は起こらず、ビレット２がヘリカルギア３の形状に精度良く成形される。
【００４５】
なお、本実施例では成形中期に移行した時点でダイス３０を固定型１０から所定距離離間した位置に保持した状態とする構成としたが、本発明はこれに限定されず、成形開始前または成形初期の時点で側面型を固定型から所定距離離間した位置に保持した状態とする構成としても良い。
また、本実施例ではビレット２の上端部にフランジ部２ａを形成することにより上パンチ２０を下方に押し下げる力をフランジ部２ａを介してダイス３０に伝達し、一つのアクチュエータで上パンチ２０およびダイス３０を固定型１０に接近可能とする構成としたが、本発明はこれに限定されず、例えば可動型および側面型にそれぞれ別のアクチュエータを設けることにより、可動型および側面型がそれぞれ独立して固定型に対して接近または離間する方向に移動可能とする構成としても良い。
【００４６】
以上の如く、本発明に係る鍛造装置の実施の一形態である鍛造装置１は、
ヘリカルギア３の下端の形状を規定する固定型１０と、
固定型１０に対して接近および離間する方向に移動可能であり、ビレット２に成形荷重を付与するとともにヘリカルギア３の上端の形状を規定する上パンチ２０と、
固定型１０におけるヘリカルギア３の下端の形状を規定する面に連続する位置と固定型１０から所定距離離間した位置との間で固定型１０に対して接近および離間する方向に移動可能であり、ヘリカルギア３の側面の形状を規定するダイス３０と、
を具備し、
ダイス３０を固定型１０から所定距離離間した位置に保持した状態で上パンチ２０が固定型１０に接近してビレット２を塑性変形させる第一成形工程Ｓ１１００と、
第一成形工程Ｓ１１００の後に、ダイス３０を固定型１０におけるヘリカルギア３の下端の形状を規定する面に連続する位置に保持した状態で上パンチ２０が固定型１０に接近してビレット２を塑性変形させる第二成形工程Ｓ１２００と、
を行うものである。
【００４７】
このように構成することにより、成形荷重（成形圧力）を抑えつつ欠肉を防止することが可能であり、ひいては精度良くヘリカルギア３を成形することが可能である。
また、成形荷重（成形圧力）を抑えることにより、鍛造装置１の金型の強度を従来の鍛造装置に比べて相対的に下げることが可能であるとともに可動型等の移動に用いるアクチュエータを小型化することが可能であり、設備コストの削減、ひいては製品（鍛造物）の製造コストの削減に寄与する。
【００４８】
また、鍛造装置１は、
第一成形工程Ｓ１１００において、
固定型１０とダイス３０との隙間にエアを供給することによりダイス３０を固定型１０から所定距離離間した位置に保持するものである。
【００４９】
このように構成することにより、簡便な構成でダイス３０を固定型１０から所定距離離間した位置に保持することが可能であり、設備コストの削減に寄与する。
また、エアの流れによりビレット２の外周面に形成されたスケール（酸化膜）が吹き飛ばされて除去されるので、スケールがヘリカルギア３の歯面へ巻き込まれることに起因する歯面の形状精度の低下を防止することが可能である。
【００５０】
また、鍛造装置１は、
ダイス３０における上パンチ２０との対向面（本実施例の場合、ダイス３０の上面）にビレット２が流入する凹部３０ｂが設けられ、
第二成形工程Ｓ１２００において、
凹部３０ｂに流入したビレット２（フランジ部２ａ）を介して上パンチ２０がダイス３０を押すことにより上パンチ２０およびダイス３０が一体となって固定型１０に接近するものである。
【００５１】
このように構成することにより、上パンチ２０を移動するアクチュエータを用いてダイス３０も移動させることが可能であり、設備コストの削減に寄与する。
【００５２】
また、本発明に係る鍛造方法の実施の一形態は、
ヘリカルギア３の下端の形状を規定する固定型１０と、
固定型１０に対して接近および離間する方向に移動可能であり、ビレット２に成形荷重を付与するとともにヘリカルギア３の上端の形状を規定する上パンチ２０と、
固定型１０におけるヘリカルギア３の下端の形状を規定する面に連続する位置と固定型１０から所定距離離間した位置との間で固定型１０に対して接近および離間する方向に移動可能であり、ヘリカルギア３の側面の形状を規定するダイス３０と、
を具備する鍛造装置１を用いる鍛造方法であって、
ダイス３０を固定型１０から所定距離離間した位置に保持した状態で上パンチ２０が固定型１０に接近してビレット２を塑性変形させる第一成形工程Ｓ１１００と、
第一成形工程Ｓ１１００の後に、ダイス３０を固定型１０におけるヘリカルギア３の下端の形状を規定する面に連続する位置に保持した状態で上パンチ２０が固定型１０に接近してビレット２を塑性変形させる第二成形工程Ｓ１２００と、
を具備するものである。
【００５３】
このように構成することにより、成形荷重（成形圧力）を抑えつつ欠肉を防止することが可能であり、ひいては精度良くヘリカルギア３を成形することが可能である。
また、成形荷重（成形圧力）を抑えることにより、鍛造装置１の金型の強度を従来の鍛造装置に比べて相対的に下げることが可能であるとともに可動型等の移動に用いるアクチュエータを小型化することが可能であり、設備コストの削減、ひいては製品（鍛造物）の製造コストの削減に寄与する。
【００５４】
また、本発明に係る鍛造方法の実施の一形態は、
第一成形工程Ｓ１１００において、
固定型１０とダイス３０との隙間にエアを供給することによりダイス３０を固定型１０から所定距離離間した位置に保持するものである。
【００５５】
このように構成することにより、簡便な構成でダイス３０を固定型１０から所定距離離間した位置に保持することが可能であり、設備コストの削減に寄与する。
また、エアの流れによりビレット２の外周面に形成されたスケール（酸化膜）が吹き飛ばされて除去されるので、スケールがヘリカルギア３の歯面へ巻き込まれることに起因する歯面の形状精度の低下を防止することが可能である。
【００５６】
また、本発明に係る鍛造方法の実施の一形態は、
ダイス３０における上パンチ２０との対向面（本実施例の場合、ダイス３０の上面）にビレット２が流入する凹部３０ｂが設けられ、
第二成形工程Ｓ１２００において、
凹部３０ｂに流入したビレット２（フランジ部２ａ）を介して上パンチ２０がダイス３０を押すことにより上パンチ２０およびダイス３０が一体となって固定型１０に接近するものである。
【００５７】
このように構成することにより、上パンチ２０を移動するアクチュエータを用いてダイス３０も移動させることが可能であり、設備コストの削減に寄与する。
【図面の簡単な説明】
【００５８】
【図１】本発明に係る鍛造装置の成形開始前の状態を示す側面断面図。
【図２】本発明に係る鍛造装置の成形中期の状態を示す側面断面図。
【図３】本発明に係る鍛造装置の成形後期の状態を示す側面断面図。
【図４】本発明に係る鍛造装置の成形中期の要部側面断面図。
【図５】本発明に係る鍛造装置の成形後期の要部側面断面図。
【図６】本発明に係る鍛造方法の実施の一形態を示すフロー図。
【図７】従来の鍛造装置における成形段階と成形荷重との関係を示す図。
【図８】従来の鍛造装置の側面断面図。
【符号の説明】
【００５９】
１    鍛造装置
２    ビレット（素材）
３    ヘリカルギア（鍛造物）
１０  固定型
２０  上パンチ（可動型）
３０  ダイス（側面型）
【図１】
2008142767.tif 000003
【図２】
2008142767.tif 000004
【図３】
2008142767.tif 000005
【図４】
2008142767.tif 000006
【図５】
2008142767.tif 000007
【図６】
2008142767.tif 000008
【図７】
2008142767.tif 000009
【図８】
2008142767.tif 000010